(57)【特許請求の範囲】
【請求項１】
球入口と、該球入口から流入した遊技球を所定数貯留可能な第１の球振り分け路と、前記第１の球振り分け路において遊技球が貯留される閉状態、あるいは遊技球が貯留されない開状態を切り換え可能な球保持手段と、前記球保持手段により前記第１の球振り分け路に所定数の遊技球が貯留されたとき、新たに前記第１の球振り分け路に流入しようとする遊技球が導かれる第２の球振り分け路とを備える第１層と、
特別球排出口と、その特別球排出口につながる球経路で特別入賞状態が設定される特別球経路と、通常球排出口と、その通常球排出口につながる球経路で特別入賞状態が設定されない通常球経路とを備える第３層と、
前記第１層と前記第３層との間に配設され、前記第１層における前記第１の球振り分け路の出口である開口部、あるいは前記第２の球振り分け路の出口である開口部から流出した遊技球を受け入れる複数の球受け口を周方向に備え、前記球受け口を介して前記第３層の前記特別球排出口、あるいは前記通常球排出口に遊技球を振り分ける回転体を備える第２層と、
前記第３層の裏面側に配置されて、前記回転体を回転させる駆動モータを備える第４層とからなり、
前記第１層から前記第４層までが前記回転体の回転軸線方向に層状に配置された弾球遊技機の入賞装置であって、
前記第１層における第１の球振り分け路の開口部は、前記回転体の回転方向において、前記第３層の前記特別球排出口より上流側に配置されており、
前記第１層における第２の球振り分け路の開口部は、前記回転体の回転方向において、前記第３層の前記特別球排出口より下流側で、前記通常球排出口より上流側に配置されており、
前記回転体の球受け口は、前記第３層の通常球排出口に遊技球を排出可能で特別球排出口に遊技球を排出不能な第１の形状と、前記特別球排出口及び通常球排出口の双方に遊技球を排出可能な第２の形状とを備えていることを特徴とする弾球遊技機の入賞装置。
【発明の詳細な説明】
【０００１】
【産業上の利用分野】
この発明は、遊技球を弾球遊技機の遊技領域に打込み、打込まれた遊技球が遊技領域を落下する間に入賞口に入賞したときに景品球が払出される弾球遊技機の入賞装置及びかかる入賞装置を備えたパチンコ機に関する。
【０００２】
【従来の技術】
遊技球が遊技領域中の所定領域に到達したときに特定入賞口の電動役物を作動させて特定入賞口を開口状態とし、その間に特定入賞口に入賞した遊技球がさらに特定入賞口内の特定領域に到達したときに特別入賞状態をセットして、遊技球が入賞口に入賞し易い状態とする弾球遊技機の入賞装置がよく知られている。
この弾球遊技機の入賞装置によると、特定入賞口が開口状態となったときに遊技者が「当たった」という実感を抱くことができ、さらに特別入賞状態となることによってもう一段階上の当たった実感が得られ、遊技性が向上するために広く普及している。
【０００３】
【発明が解決しようとする課題】
しかしながら、従来の弾球遊技機の入賞装置は、数字，英字等の図柄を表示してこれを変動させる図柄表示装置を設け、このような図柄が特定の表示状態で停止したときに特別入賞状態をセットする方式であった。このように、遊技者にとって予想の困難な変動停止時の図柄によって特別入賞状態がセットされたり、されなかったりする。
これを遊技者からみると、「当たり」か「はずれ」かの結果が表れる以前には何の兆候もなく、いきなり結果が出ることになる。すなわち、特別入賞状態に到るまでの過程を楽しむことができず、変化に欠けるため飽きられ易い。このように、従来の弾球遊技機の入賞装置は、特別入賞状態がセットされるまでの過程に遊技性が認められないという問題点があった。
また、従来の弾球遊技機の入賞装置は、特定入賞口，電動役物，特別入賞状態設定手段等の多数の部品を複雑に組み合わせて、一通りの特別入賞状態の設定しか行うことができなかった。従って、遊技者の要求に応じて新しい入賞装置を制作する場合には、全ての部品を新たに作り出さなければならなかった。
【０００４】
本発明は、特別入賞状態がセットされるまでの過程に遊技性をもたらすことができる弾球遊技機の入賞装置を提供することを目的とする。
【０００５】
【課題を解決するための手段】
上記した課題は各請求項の発明によって解決される。
請求項１の発明は、球入口と、該球入口から流入した遊技球を所定数貯留可能な第１の球振り分け路と、前記第１の球振り分け路において遊技球が貯留される閉状態、あるいは遊技球が貯留されない開状態を切り換え可能な球保持手段と、前記球保持手段により前記第１の球振り分け路に所定数の遊技球が貯留されたとき、新たに前記第１の球振り分け路に流入しようとする遊技球が導かれる第２の球振り分け路とを備える第１層と、
特別球排出口と、その特別球排出口につながる球経路で特別入賞状態が設定される特別球経路と、通常球排出口と、その通常球排出口につながる球経路で特別入賞状態が設定されない通常球経路とを備える第３層と、
前記第１層と前記第３層との間に配設され、前記第１層における前記第１の球振り分け路の出口である開口部、あるいは前記第２の球振り分け路の出口である開口部から流出した遊技球を受け入れる複数の球受け口を周方向に備え、前記球受け口を介して前記第３層の前記特別球排出口、あるいは前記通常球排出口に遊技球を振り分ける回転体を備える第２層と、
前記第３層の裏面側に配置されて、前記回転体を回転させる駆動モータを備える第４層とからなり、
前記第１層から前記第４層までが前記回転体の回転軸線方向に層状に配置された弾球遊技機の入賞装置であって、
前記第１層における第１の球振り分け路の開口部は、前記回転体の回転方向において、前記第３層の前記特別球排出口より上流側に配置されており、
前記第１層における第２の球振り分け路の開口部は、前記回転体の回転方向において、前記第３層の前記特別球排出口より下流側で、前記通常球排出口より上流側に配置されており、
前記回転体の球受け口は、前記第３層の通常球排出口に遊技球を排出可能で特別球排出口に遊技球を排出不能な第１の形状と、前記特別球排出口及び通常球排出口の双方に遊技球を排出可能な第２の形状とを備えていることを特徴とする。
【０００６】
【作用】
本発明によると、第１層における球入口から第１の振り分け路に流入し、その第１の振り分け路の開口部から流出した遊技球は第２層における回転体の第１の形状の球受け口、あるいは第２の形状の球受け口に受け入れられる。ここで、第１の振り分け路の開口部は、回転体の回転方向において、第３層の特別球排出口及び通常球排出口より上流側に配置されている。このため、例えば、回転体における第１の形状の球受け口に受け入れられた遊技球は、その回転体の回転によって第３層の特別球排出口及び通常球排出口の方向に搬送される。第１の形状の球受け口は第３層の通常球排出口に遊技球を排出可能で特別球排出口に遊技球を排出不能に構成されているため、その第１の形状の球受け口で受けられた遊技球は第３層の特別球排出口を通過して通常球排出口に供給される。そして、通常球排出口から特別入賞状態が設定されない通常球経路に導かれる。
また、第１の振り分け路の開口部から流出して回転体における第２の形状の球受け口に受け入れられた遊技球は、その回転体の回転によって第３層の特別球排出口及び通常球排出口の方向に搬送される。ここで、第２の形状の球受け口は第３層の特別球排出口及び通常球排出口に遊技球を排出可能に構成されている。さらに、第３層の特別球排出口は通常球排出口よりも上流側に配置されている。このため、第２の形状の球受け口で受けられた遊技球は第３層の特別球排出口に供給され、その特別球排出口から特別入賞状態が設定される特別球経路に導かれる。
さらに、球保持手段により第１の球振り分け路に所定数の遊技球が貯留されて、新たな遊技球が第２の球振り分け路に導かれると、その遊技球は第２の球振り分け路の開口部から第２層における回転体の第１の形状の球受け口、あるいは第２の形状の球受け口に受け入れられる。ここで、第２の振り分け路の開口部は、回転体の回転方向において、第３層の特別球排出口より下流側で、通常球排出口より上流側に配置されている。このため、第１の形状の球受け口、あるいは第２の形状の球受け口で受け入れられた遊技球は、回転体の回転によっていずれも第３層の通常球排出口の方向に搬送され、その通常球排出口に供給される。そして、通常球排出口から特別入賞状態が設定されない通常球経路に導かれる。
このように、第１層における第１の振り分け路と第２の振り分け路とによって第１段階の振り分けが行なわれ、第２層における回転体の第１の形状の球受け口と第２の形状の球受け口とによって第２段階の振り分けが行なわれるようになる。
【００１３】
【実施例】
次に、本発明を具現化した弾球遊技機の入賞装置の一実施例について、図１〜図９を参照して説明する。まず、弾球遊技機の入賞装置の一実施例の全体構成について、図１の分解斜視図を参照して説明する。
図１に示されるように、本実施例の弾球遊技機の入賞装置（以下、単に「入賞装置」とも略する。）２は、表カバー４，流路板３０，回転体４０，振り分け板５０，本体６０，バックプレート８０，及びモータ９８を中心として構成されている。これらの表カバー４，…，バックプレート８０の各部品は、透明又は半透明のプラスティック材料で形成されている。
このうち、振り分け板５０は回転体４０の裏面にネジ止め固定され、回転体４０と振り分け板５０は本体６０の凹部６２内に回転可能に収容される。そして、図示しないシャフトによってモータ９８の回転軸と回転体４０の中心とが接続され、モータ９８の回転によって、回転体４０と振り分け板５０は本体凹部６２内で回転する。流路板３０は、回転体４０の上から本体６０に被せられて固定され、さらにその上から表カバー４が取り付けられる。
かかる構造の入賞装置２に対して、表カバー４の球入口１０から入った遊技球ＰＢは、流路板３０，回転体４０，振り分け板５０，本体６０を順に通過しつつ振り分けられて、バックプレート８０の通常の排出路９０あるいは特別入賞状態通路９２から排出される。
【００１４】
図２は、図１に示される順に組付けられた状態の入賞装置２を示す側面図である。図２（Ａ）は断面図であり、図２（Ｂ）はモータ９８や、バックプレート８０の一部を除いた状態を示す側面図である。
このように、本実施例の弾球遊技機の入賞装置２は、表カバー４，流路板３０，回転体４０，振り分け板５０，本体６０，バックプレート８０，及びモータ９８と図示しない電気配線用コネクタが順次層状に重ねられて構成されている。従って、層状の各部品のうち一部のみを入れ替えることによって、新規な入賞状態を設定できる入賞装置とすることができる。
また、モータ９８及び電気配線用コネクタが表カバー４から最も離れた裏面に集中して設けられていることから、弾球遊技機内の配線が簡潔になり、保守点検も容易になるという利点が得られる。
【００１５】
次に、表カバー４の内部構造と遊技球の分別の方法について、図３及び図４を参照して説明する。
図３は、本実施例の入賞装置２の正面図であり、表カバー４の内部については透視した状態で図示している。なお、遊技者から見える側の面を正面としている。また、図４は表カバー４の構造を示す図であって、図４（Ａ）は正面図、図４（Ｂ）は図４（Ａ）のＩＢ−ＩＢ断面図、図４（Ｃ）は裏面図である。
表カバー４の内部には、球入口１０に連通する球経路１２，１６，１８が設けられており、球経路１２からは球経路１４が分岐している。球経路１６と１８の間には係留ピン２０が設けられており、バックプレート８０に取り付けられた図示しない電磁ソレノイドによって回動して、球経路１６と１８の間を開閉する。係留ピン２０が閉状態のときは、球入口１０から流入した遊技球ＰＢは球経路１６内に６個まで係留され、７個目からは分岐した球経路１４内に流入する。
【００１６】
表カバー４の構造について、図４を参照してさらに詳しく説明する。
表カバー４の球経路１２，１６，１８は、表カバー４の表面を覆うレンズカバー板６の裏面に立設する壁部８〜８によって形成されている。
レンズカバー板６の表面にはＬＥＤ表示体２２と、４個の装飾ＬＥＤ２４〜２４、及び左右４個ずつの表示灯２６Ａ〜２６Ａ，２６Ｂ〜２６Ｂが取り付けられている。これらの発光素子は、いずれも遊技者の目を楽しませるために点灯するものである。
そして、これらの電気素子に電力を供給する配線を取り付ける基板（図示省略）が、レンズカバー板６の裏面の数カ所に設けられた雌ねじ部２８〜２８にネジ止めされる。
【００１７】
ここで、流路板３０の構造について、図５を参照して説明する。図５は、本実施例の流路板３０の構造を示す図であって、図５（Ａ）は正面図、図５（Ｂ）は側面図である。
図５に示されるように、流路板３０は、二箇所の切り欠き３４，３６を有する円形の板状部材であり、表カバー４の内部の球経路から遊技球ＰＢを選択的に通過させる働きをする。すなわち、図１のように組み合わされた状態では、開口部３４は表カバー４の球経路１８に対応しており、開口部３６は球経路１４に対応している。
従って、表カバー４内で分別された遊技球ＰＢは、流路板３０に設けられた開口部３４，３６のいずれかを通過して回転体４０に入る。すなわち、係留ピン２０によって球経路１６内に係留された遊技球ＰＢは、係留ピン２０が開状態になると球経路１８内に流入して、流路板３０の下部の開口部３４を通過する。一方、球経路１４内に流入した遊技球ＰＢは、上部の開口部３６を通過する。
なお、流路板３０の表面の突出部３２は、表カバー４の球経路１６に沿って設けられており、遊技球ＰＢを球経路１６内をスムースに移動させるためのガイド機構である。
即ち、球経路１６が本発明の第１の球振り分け路に相当し、球経路１４が本発明の第２の球振り分け路に相当する。
【００１８】
次に、回転体４０の構造について、図６を参照して説明する。図６は回転体４０の構造を示す図であり、図６（Ａ）は裏面図、図６（Ｂ）は図６（Ａ）のIIＢ−IIＢ断面図である。
図６に示されるように、回転体４０は、遊技球ＰＢの直径と同程度の厚さを有する円板状の部材であり、同一形状の貫通孔４２〜４２が円周に沿って１２個穿設されている。また、回転体４０の中心の貫通孔には、インサートピン４４が嵌合固定されている。このインサートピン４４は図示の如く裏面方向に突出しており、図１に示されるモータ９８の回転軸９８ａと接続される。
この回転体４０は、弾球遊技機の入賞装置１００の電源投入とともに、モータ９８の回転によって一定速度で回転（正面から向かって左回転）を続ける。
【００１９】
次に、振り分け板５０の構造について、図７を参照して説明する。図７は振り分け板５０の構造を示す図であって、図７（Ａ）は正面図であり、図７（Ｂ）は図７（Ａ）の IIIＢ− IIIＢ断面図である。
図７に示されるように、振り分け板５０は薄い円板状の部材であり、円周に沿って形状の異なる二種類の貫通孔が１２個穿設されている。１２個の貫通孔のうち８個は外周方向の開口が狭まった形状の第１の貫通孔５２〜５２であり、残りの４個は外周方向へも開口が広がった形状の第２の貫通孔５４〜５４である。
また、振り分け板５０の中心には、前記回転体４０のインサートピン４４を貫通させるための孔５６が穿設されている。振り分け板５０は、三箇所のネジ孔５８〜５８において、図の正面側が回転体４０の裏面に接するように、裏面側からネジ止め固定されている。
【００２０】
次に、本体６０の構造について、図８を参照して説明する。図８は本体６０の構造を示す図であって、図８（Ａ）は正面図であり、図８（Ｂ）は図８（Ａ）のIVＢ−IVＢ断面図である。
図８に示されるように、本体６０はその中央部に円形の凹部６２を有しており、この凹部６２内に前記回転体４０及び振り分け板５０が収容される。凹部６２の中心には、回転体４０のインサートピン４４を貫通させるための孔６４が穿設されている。また、長方形の貫通孔６６，６８は、表カバー４に設けられたＬＥＤ等の電気配線を通すための孔である。
さらに、凹部６２の外周よりの二箇所には、長円形の貫通孔７０，７２が穿設されている。貫通孔７２は貫通孔７０よりも外側にずれて設けられており、これらの貫通孔７０，７２と、前述した振り分け板５０の二種類の貫通孔５２，５４とによって、回転体４０に入った遊技球ＰＢの振り分けが行われる。
本体６０の背面には、バックプレート８０の取り付け用の雌ねじ部７４Ａ，７４Ｂが設けられている。また、貫通孔７６は、図４に示される表カバー４の係留ピン２０を動作させるための図示しない回転軸用の貫通孔である。
【００２１】
次に、バックプレート８０の構造と機能について、図９を参照して説明する。図９はバックプレート８０の構造を示す図であって、図９（Ａ）は正面図であり、図９（Ｂ）は図９（Ａ）のＶＢ−ＶＢ断面図である。
図９に示されるように、バックプレート８０には電磁ソレノイド８２が取り付けられている。この電磁ソレノイド８２は、図示しないクランク機構及び回転軸を介して前記係留ピン２０を回動させて、係留あるいは解除の動作をさせるものである。
一方、バックプレート８０上には、壁面８８〜８８によって二つの球経路９０及び９２が形成されている。このうち、球経路９２には球検出手段９４が設けられている。この球検出手段９４は近接スイッチであり、遊技球ＰＢが球検出手段９４の貫通孔９４ａを通過すると検出信号を出力する。
バックプレート８０の中心には、回転体４０のインサートピン４４を貫通させるための孔８４が穿設されている。この貫通孔８４の背後において、インサートピン４４は、図示しない接続ブッシュによってモータ９８の回転軸９８ａと接続される。
【００２２】
さて、以上のような構造を有する本実施例の入賞装置２における遊技球ＰＢの動きについて、図１及び図３を参照して説明する。
表カバー４の球入口１０から入賞した遊技球ＰＢのうち、係留ピン２０で係留されなかったもの及び係留された後解除されたものは、球経路１８内に流入して、流路板３０の下部の開口部３４を通過して、回転体４０の孔４２に入る。回転体４０は、連続的に左回転しているため、これらの遊技球ＰＢは、図３（Ｂ）のルートＬ１に示すように上方へ運ばれ、本体６０の貫通孔７０，７２のいずれかを通過することになる。
ここで、回転体４０の裏面の振り分け板５０に第１の貫通孔５２が穿設されている位置に当たる孔４２内の遊技球ＰＢは、本体６０の貫通孔７２を通過することはできない。第１の貫通孔５２は外周方向の開口が小さく、一方貫通孔７２は外周方向にずれて設けられているためである。従って、かかる遊技球ＰＢは、図３（Ｂ）のルートＬ２に従って貫通孔７０を通過することになる。
一方、第２の貫通孔５４は外周方向へも開口が広がった形状を有しているため、第２の貫通孔５４が穿設されている位置に当たる孔４２内の遊技球ＰＢは、図３（Ｂ）のルートＬ１に従って貫通孔７２を通過することになる。
即ち、回転体４０の孔４２（貫通孔４２）が本発明の球受け口に相当し、振り分け板５０に第１の貫通孔５２と回転体４０の孔４２（貫通孔４２）とから本発明における第１の形状の球受け口が形成される。また、振り分け板５０に第２の貫通孔５４と回転体４０の孔４２（貫通孔４２）とから本発明における第２の形状の球受け口が形成される。
【００２３】
これに対して、係留ピン２０によって６個の遊技球ＰＢが球経路１６内に係留されることによって分岐した球経路１４内に流入した７個目以降の遊技球ＰＢは、上部の開口部３６を通過して、回転体４０の孔４２に入る。
ここで、貫通孔７０は内側よりに設けられており、一方、振り分け板５０の第１の貫通孔５２，第２の貫通孔５４ともに内側には開口が広がった形状を有している。従って、開口部３６から回転体４０の孔４２に入った遊技球ＰＢは全て、図３（Ｂ）のルートＬ３に従って貫通孔７０を通過する。
さて、図１に示されるように、本体６０の貫通孔７０を通過した遊技球ＰＢは、バックプレート８０に設けられた二つの球経路のうち球経路９０を通過する。
この球経路９０は通常の球排出路であり、球経路９０を通過したことによっては特別入賞状態は設定されない。
これに対して、本体６０の貫通孔７２を通過した遊技球ＰＢは、バックプレート８０の球経路のうち球経路９２を通過する。この球経路９２には球検出手段９４が設けられており、遊技球ＰＢが球検出手段９４の貫通孔９４ａを通過すると検出信号が出力される。これによって、弾球遊技機において所定の特別入賞状態の設定が行われる。
即ち、本体６０の貫通孔７０が本発明の通常球排出口に相当し、球経路９０が本発明の通常球経路に相当する。また、本体６０の貫通孔７２が本発明の特別球排出口に相当し、球経路９２が本発明の特別球経路に相当する。
【００２４】
以上説明したように、本実施例の弾球遊技機の入賞装置２においては、層状に組み合わされた表カバー４，流路板３０，回転体４０，振り分け板５０，本体６０，バックプレート８０によって特別入賞状態の設定が行われる。そして、各部品が透明又は半透明のプラスティックで形成されており、各層の表面が弾球遊技機の表面と略平行になっているために、遊技者は特別入賞状態が設定される過程を視覚的に追いかけることができる。
また、一部の層のみを入れ替えることによって新規な入賞装置に変更することができるため、遊技者の要求に迅速に対応することができる。
このように、本実施例の弾球遊技機の入賞装置２は、特別入賞状態が設定されるまでの過程に遊技性をもたらすことができるとともに、新規な特別入賞状態の設定を容易に行うことができるという優れた長所を有する。
【００２５】
次に、本実施例の弾球遊技機の入賞装置２を入賞装置として用いたパチンコ機の具体例について、図１０〜図１６を参照して説明する。
まず、本実施例におけるパチンコ機の機械的な構成について、図１０及び図１１を参照して説明する。図１０は、本実施例の入賞装置２を用いたパチンコ機の外観を示す正面図である。
図１０に示されるように、弾球遊技機１００の遊技盤表面１０２上には、遊技領域とその周囲を区画するレール１０４が右回りの螺旋状に設けられている。このレール１０４は、遊技盤表面１０２の左下部を始端とし、内側に一回転した左上部を終端として設けられている。従って、遊技盤表面１０２の左下部から左上部までは、遊技球ＰＢが通る通路１０６になる。また、レール１０４のほぼ中間点（すなわち、遊技盤表面１０２の右上部）には返しゴム１１０が設けられ、レール１０４の終端の内側には戻り球防止ホルダー１０８が設けられている。
そして、遊技者が手で発射装置（図示省略）を操作すると、遊技球ＰＢがレール１０４に沿って矢印Ｄの方向に打ち出される。なお、返しゴム１１０は遊技球ＰＢが強く打ち出された場合に、遊技球ＰＢを逆方向へ戻すために設けられている。また、戻り球防止ホルダー１０８は、上記返しゴム１１０によって戻された遊技球ＰＢが、通路１０６に逆入するのを防止するために設けられている。
【００２６】
次に、螺旋状に設けられたレール１０２の内側の遊技領域には、入賞装置２、表示灯１１２Ａ〜１１４Ｂ、左上入賞口１２２，左中左入賞口１２４Ａ、左中右入賞口１２４Ｂ、大入賞口１２６、表示器付風車１３１，１３２、ゲート１４２、普通図柄表示装置１４０、普通電動役物１４４、第３種始動口１３０、風車１５０〜１５０、及びアウト口１６０、が設けられている。
遊技盤表面１０２の中央部には、上から順番に天入賞口１２０、普通図柄表示装置１４０、ゲート１４２、普通電動役物１４４、入賞装置２、アウト口１６０が設けられている。
また、遊技球ＰＢを散乱させる釘が、遊技盤表面１０２上に適当に配置されている。同様な目的で、風車１５０〜１５０が遊技盤表面１０２上の随所に配置されている。
【００２７】
普通図柄表示装置１４０は、普通図柄を表示するために、数字が表示可能な素子である７セグメントＬＥＤで構成される表示器を３個備えている。この普通図柄表示装置１４０は、遊技球ＰＢがゲート１４２を通過した場合に図柄の変動を開始し、所定時間経過後に停止する。
ゲート１４２は普通図柄表示装置１４０の真下で、かつ普通電動役物（特定入賞口）１４４の上方に設けられている。このゲート１４２は、遊技球ＰＢの通過を検出して、普通図柄表示装置１４０の図柄を変動させる信号を出力する。
変動停止時に表示器に表示された数字が所定図柄と一致すれば、特定入賞状態がセットされる。すなわち、普通電動役物１４４のチューリップが一定時間開放される。
普通電動役物１４４（特定入賞口）の直下には、入賞装置２が設けられている。従って、開放中に普通電動役物１４４に入った遊技球ＰＢは、普通電動役物１４４の下部から入賞装置２の球入口１０に入賞する。入賞装置２の内部においては上述した作動が行われ、その結果、特別入賞状態（「大当たり」）がセットされたりされなかったりする。
【００２８】
大入賞口１２６は、遊技盤表面１０１の右下部に設けられた入賞口であって、上記「大当たり」の際に一定時間開放される電動役物１１６Ｄを備えている。
また、左上入賞口１２２は、三つの風車１５０〜１５０の間にあって、かつ右側の風車１５０に接するように設けられている。さらに、左中左入賞口１２４Ａ及び左中右入賞口１２４Ｂは、入賞口１２２の下方の遊技盤面の左側に、互いに近接して設けられている。また、左下入賞口１２８Ａは入賞装置２の左側に少し隔てて設けられ、左下入賞口１２８Ｂは入賞装置２の右側に少し隔てて設けられている。
そして、アウト口１２９は入賞装置２の下部に位置しており、レール１０２を挟んで設けられている。
表示灯１１２Ａ，１１２Ｂ，１１２Ｃ，１１２Ｄ，１１４Ａ，１１４Ｂは、遊技者の目を楽しませるために、適宜点滅表示を行う表示灯である。表示灯１１２Ａ，１１２Ｂ，１１４Ａは、遊技盤表面１０２の左部においてレール１０４に接するように縦列して設けられている。同様に、表示灯１１２Ｃ，１１２Ｄ，１１４Ｂは、遊技盤表面１０２の右部においてレール１０４に接するように縦列して設けられている。
【００２９】
次に、遊技盤裏面の構成について、図１１及び図１０を参照して説明する。図１１は、パチンコ機１００の遊技盤裏面における誘導路とスイッチ等の配置を示す図である。なお、図１０と同一の要素には同一番号を付して、これらの説明は省略する。
図１１において、遊技盤裏面２００には、誘導路２０２，２０４，２０６，２０８，２１０，２１２，２１４、入賞検出スイッチ９４，２４０，２４２，２４４，２４６、２４８，係留用ソレノイド８２、普通電動役物ソレノイド２５０、大入賞口ソレノイド２５２、回転モータ９８，２６０及びアウト口穴２７０が設けられている。アウト口穴２７０は、図１０のアウト口１６０の穴である。
【００３０】
誘導路２０２，２０４，２０６，２０８，２１０，２１２，２１４は、それぞれ、レール２１６，２１８，２２０，２２２，２２４，２２６，２２８，２３０，２３２，２３４，２３６で区画された通路である。
ここで、誘導路２０２は天入賞口１２０に入った遊技球ＰＢを誘導する。また、誘導路２０４は左上入賞口１２２に入った遊技球ＰＢを誘導し、誘導路２０６は左中左入賞口１２４Ａ及び左中右入賞口１２４Ｂに入った遊技球ＰＢを誘導する。さらに、誘導路２０８は第３種始動口１３０に入った遊技球ＰＢを誘導し、誘導路２１０は大入賞口１２６に入った遊技球ＰＢを誘導する。
一方、誘導路２１２，２１４は、入賞装置２によって振り分けられた遊技球ＰＢを誘導する。すなわち、誘導路２１２は「はずれ」としての非特別領域へ誘導する通路であり、誘導路２１４は「当たり」としての特別領域（具体的には、球検出手段９４）へ誘導する通路である。
【００３１】
入賞検出スイッチ９４，２４０，２４２，２４４，２４６及び２４８は、それぞれ遊技球ＰＢの通過を検出するスイッチであって、磁性の変化によって上記通過を判定する近接スイッチが一般に用いられる。
ここで、入賞検出スイッチ９４は前述の如く、入賞装置２内で特別入賞状態に誘導された遊技球ＰＢを検出し、入賞検出スイッチ２４０はゲート１４２を通過した遊技球ＰＢを検出する。また、入賞検出スイッチ２４２は、普通電動役物１４４の下部から入賞装置２に入った遊技球ＰＢを検出し、入賞検出スイッチ２４４は第３種始動口１３０に入った遊技球ＰＢを検出する。
さらに、入賞検出スイッチ２４６は、大入賞口１２６に入った遊技球ＰＢを検出し、入賞検出スイッチ２４８は、左中左入賞口１２４Ａ及び左中右入賞口１２４Ｂに入った遊技球ＰＢを検出する。
これらの入賞検出スイッチ９４，２４０，２４２，２４４，２４６，２４８によって検出された検出信号は、いずれも次図に示す制御部３１０に送られる。
【００３２】
係留ソレノイド８２は、前述の如く、入賞装置２内に設けられた係留ピン２０を開閉させるための電磁ソレノイドである。また、普通電動役物ソレノイド２５０は、普通電動役物１４４に設けられたチューリップを左右に開閉させるための電磁ソレノイドであり、大入賞口ソレノイド２５２は、大入賞口１２６に設けられたチューリップを左右に開閉させるための電磁ソレノイドである。
さらに、回転モータ９８は入賞装置２内に設けられた回転体４０を回転させるためのモータであり、回転モータ２６０は第３種始動口１３０に設けられた右回転体１３２を回転させるためのモータである。
【００３３】
次に、本実施例のパチンコ機１００の電気的な構成について、図１２及び図１３を参照して説明する。図１２は、本実施例のパチンコ機１００の配線系統図である。また、図１３は、本実施例のパチンコ機１００の制御部の構成を示すブロック図である。
図１２に示されるように、本実施例のパチンコ機１００の配線系統は、大きく盤面部３００と枠部４００から構成されている。盤面部３００は制御部３１０、中継部３２０及び端子部３３０から構成されている。また、枠部４００は防犯部４１０、発射制御部４２０、中継部４３０、端子部４４０及び中継部４５０から構成されている。
【００３４】
まず、盤面部３００について説明する。
制御部３１０は後述する図１３に示すＣＰＵ（中央処理装置）３１１等を備えており、弾球遊技機の入賞装置１００全体の制御をする機能を有している。中継部３２０には、入賞検出スイッチ２４２，２４６，２４８が接続され、上記制御部３１０へ送る検出信号を中継する。端子部３３０は４つのコネクタ端子を備え、制御部３１０から送られた信号を、このうちの一つの端子３３１を用いて後述する端子部４４０へ送る。ここで、制御部３１０と中継部３２０の間、及び、制御部３１０と端子部３３０の間は、いずれもコネクタを有するケーブルによって接続されている。
なお、枠部４００内に設けられる静電防止器４０１は、静電気による誤動作防止のために設けられたものであって、制御部３１０にアース接続されている。
【００３５】
次に、枠部４００について説明する。
防犯部４１０は遊技中における不正を防止するためのものであって、スピーカ４１２と賞球払出禁止スイッチ４１３が接続されている。ここで、スピーカ４１２は効果音を鳴動する。賞球払出禁止スイッチ４１３は賞球の払い出しを禁止するスイッチである。
発射制御部４２０は遊技球ＰＢを発射するためのモータ駆動回路４２１を備えており、タッチ端子４２２，ハンドルスイッチ４２３，発射装置停止スイッチ４２４及びモータ４２５が接続されている。ここで、タッチ端子４２２，ハンドルスイッチ４２３及び発射装置停止スイッチ４２４は、いずれも遊技者が手で発射装置の操作を行うための端子あるいはスイッチである。タッチ端子４２２は、遊技者の手が発射装置に触れていることを検出する端子である。ハンドルスイッチ４２３は、モータ４２５を駆動して遊技球ＰＢを発射するためのスイッチである。また、発射装置停止スイッチ４２４は、遊技球ＰＢの発射を一時的に停止させるためのスイッチである。
【００３６】
中継部４３０は制御部３１０と防犯部４１０の間に設けられ、これらの相互間で送受信される信号を中継する。なお、中継部４３０には、普通電動役物ソレノイド２５０、賞球払出モータ４３１及び賞球払出検出スイッチ４３２が接続されている。ここで、賞球払出モータ４３１は、賞球の払い出しを行うためのモータである。賞球払出検出スイッチ４３２は賞球の払い出しを検出する三連のスイッチである。
端子部４４０は防犯部４１０に接続され、モータ９８，１８４、動作スイッチ１８２、係留ソレノイド８２、ヒューズ４４１を介して接続されるコンセント４４２、表示灯４４３乃至４４５及び賞球切れ検出スイッチ４４６を備える。中継部４５０は防犯部４１０と発射制御部４２０の間に設けられ、枠検出スイッチ４５１を備える。なお、表示灯４４３乃至４４５は図２に示す表示灯１１２Ａ乃至１１４Ｂ等のいずれかであり、賞球切れ検出スイッチ４４６は賞球の球切れを検出するスイッチである。
【００３７】
図１３は、制御部３１０の構成を示すブロック図であって、本発明を実施するために必要な最小限の構成を示す。図において、制御部３１０は、ＣＰＵ３１１、ＲＯＭ３１２、ＲＡＭ３１３、入力処理回路３１４、音楽処理回路３１５、表示回路３１６及び出力処理回路３１７から構成されている。
ＣＰＵ３１１は、ＲＯＭ３１２に格納された制御プログラムに従って弾球遊技機の入賞装置１００の全体を制御する。ＲＯＭ３１２にはＥＰＲＯＭあるいはＥＥＰＲＯＭが使用され、上記制御プログラムの他に、普通電動役物１４５を制御する役物制御プログラム、モータ１８４及び特別入賞状態を制御する状態制御プログラム及び大入賞口１２６を制御する大入賞口制御プログラムが格納されている。ＲＡＭ３１３にはＳＲＡＭ等が使用され、ゲートカウンタ、第１の時間カウンタ、第２の時間カウンタ、始動口カウンタ、大入賞口カウンタ及び特別入賞状態フラグ等の各種のデータあるいは入出力信号が格納される。
【００３８】
入力処理回路３１４は、入賞検出スイッチ２４２，２４６，２４８から送られたそれぞれの検出信号を受けて、制御部３１０内で処理可能なデータ形式に変換し、バス３１８を介してＣＰＵ３１１又はＲＡＭ３１３へ転送する。音楽処理回路３１５は、ＣＰＵ３１１からバス３１８を介して送られた鳴動データに従って、アナログ信号に変換して図７に示すスピーカ４１２へ送る。
表示回路３１６は、ＣＰＵ３１１からバス３１８を介して送られた表示データに従って、図１０に示す普通図柄表示装置１４０の表示器や、あるいは表示灯１１２Ａ乃至１１４Ｂ等の表示制御を行う回路である。出力処理回路３１７は、ＣＰＵ３１１からバス３１８を介して送られた駆動データに従って、モータ９８，１８４、普通電動役物ソレノイド２５０、大入賞口ソレノイド２５２及び動作スイッチ１８２を駆動する駆動信号へ変換して送る。
なお、上記各構成要素はいずれもバス３１８に互いに結合されている。
【００３９】
以上の構成によって、パチンコ機１００は、以下に示すように動作する。まず、遊技者が手で発射装置を操作すると、タッチ端子４２２及びハンドルスイッチ４２３がオンになり、遊技球ＰＢが１個ずつ遊技盤表面１０２上の任意の位置へ発射される。
その後、発射された遊技球ＰＢは、釘や風車１５０〜１５０等によって散乱しながら落下し、大入賞口１２６、入賞口１２０乃至１２８Ｂ及び第３種始動口１３０のいずれかに入るか、あるいはアウト口１６０に入る。
なお、賞球払出検出スイッチ４３２の作動によって、大入賞口１２６及び入賞口１２０乃至１２８Ｂのうち、遊技球ＰＢがいずれの入賞口に入ったかによって払い出す遊技球の個数を分ける。
【００４０】
ここで、遊技球ＰＢがゲート１４２を通過すると、入賞検出スイッチ２４０がこの通過を検出してＣＰＵ３１１へ検出信号を送る。この検出信号を受けたＣＰＵ３１１は、ＲＡＭ３１２に格納された役物制御プログラムを実行して、まず普通図柄変動時間（例えば、７秒間）だけ数字を変動させながら、普通図柄表示装置１４０の表示器に表示する。
その後、変動を停止し、この停止時の数字を表示する。また、表示された数字が所定の図柄である場合には、「当たり」として出力処理回路３１７へ駆動データを送って、普通電動役物１４４のチューリップを開放時間（例えば、１秒間）だけ開ける。
さらに、上記開放時間だけ開く普通電動役物１４４に遊技球ＰＢが入賞すると、遊技球ＰＢは入賞装置２に誘導される。入賞装置２では、前述した動作によって、特別領域９２と非特別領域９０に振り分けられる。
【００４１】
そして、特別領域９２に振り分けられた遊技球ＰＢは、入賞検出スイッチ９４が検出してＣＰＵ３１１へ検出信号を送る。この検出信号を受けたＣＰＵ３１１は現在の特別入賞状態に応じて、特別入賞状態をセット又はリセットする。その後、ＲＡＭ３１２に格納された大入賞口制御プログラムを実行する。
大入賞口制御プログラムは、大入賞口ソレノイド２５０を予め設定された時間（例えば、１０秒間）だけ駆動し、大入賞口チューリップ１１６Ｄを開ける。このとき、大入賞口１２６へ入賞すると、対応する個数の賞球を払い出す。そして、特別時間（例えば、３０秒間）を経過するか、あるいは大入賞口１２６への入賞が所定の入賞個数に達すると、特別入賞状態をリセットするとともに、チューリップ１１６Ｄを閉じる。
【００４２】
なお、弾球遊技機の入賞装置２及びパチンコ機１００におけるその他の部分の構造，形状，大きさ，材質，個数，配置，符号及び動作条件等についても、本実施例に限定されるものでない。
例えば、遊技球ＰＢがゲート１４２を通過することを条件として普通電動役物１４４のチューリップを開けるように構成したが、第３種始動口１３０へ入賞することを条件とする等のように、他の条件によって普通電動役物１４４のチューリップを開けるように構成してもよい。
同様に、普通電動役物１４４へ入賞した遊技球ＰＢのみを入賞装置２に誘導するように構成したが、直接入賞装置２に入賞できるように構成してもよい。
【００４３】
【発明の効果】
本発明においては、層状構造を有する入賞装置の各層によって特別入賞状態の設定を行う弾球遊技機の入賞装置を創出したため、遊技者は特別入賞状態が設定される過程を視覚的に追いかけることが可能になる。
これによって、特別入賞状態がセットされるまでの過程に遊技性をもたらすことができる、実用的な弾球遊技機となる。
【００４５】
また、弾球遊技機の入賞装置の各層に球振り分け路と球受け回転体を配した入賞装置を創出したため、遊技者は球振り分け路と球受け回転体という異なる種類の動作をする二段階の特別入賞状態の設定過程を視覚的に楽しむことができる。
これによって、特別入賞状態がセットされるまでの過程にさらに大きな遊技性をもたらすことができ、かつ新規な特別入賞状態を容易に設定できる、極めて実用的な弾球遊技機の入賞装置となる。
【図面の簡単な説明】
【図１】本発明に係る弾球遊技機の入賞装置の一実施例の全体構成を示す分解斜視図である。
【図２】弾球遊技機の入賞装置の一実施例の側面図である。
【図３】弾球遊技機の入賞装置の一実施例の正面図である。
【図４】弾球遊技機の入賞装置の一実施例の表カバーを示す図である。
【図５】弾球遊技機の入賞装置の一実施例の流路板を示す図である。
【図６】弾球遊技機の入賞装置の一実施例の回転体を示す図である。
【図７】弾球遊技機の入賞装置の一実施例の振り分け板を示す図である。
【図８】弾球遊技機の入賞装置の一実施例の本体を示す図である。
【図９】弾球遊技機の入賞装置の一実施例のバックプレートを示す図である。
【図１０】本実施例の弾球遊技機の入賞装置を用いたパチンコ機の外観を示す正面図である。
【図１１】本実施例のパチンコ機の遊技盤裏面における誘導路とスイッチ等の配置を示す図である。
【図１２】本実施例のパチンコ機の配線系統図である。
【図１３】本実施例のパチンコ機の制御部の構成を示すブロック図である。
【符号の説明】
２          弾球遊技機の入賞装置
４          表カバー（第１層）
３０        流路板（第１層）
１４        球経路（第１の球振り分け路）
１６        球経路（第２の球振り分け路）
２０        係留ピン（球保持手段）
３４，３６  開口部
４０        回転体（第２層）
５０        振り分け板（第２層）
４２        貫通孔（球受け口）
５２        第１の貫通孔（第１の形状）
５４        第２の貫通孔（第２の形状）
６０        本体（第３層）
６２        基板（第３層）
７０        貫通孔（通常球排出口）（第３層）
７２        貫通孔（特別球排出口）（第３層）
９０        球経路（通常球経路）（第３層）
９２        球経路（特別球経路）（第３層）
９４        球検出手段
９８        駆動モータ
１００      パチンコ機
１２６      大入賞口
１３０      第二の入賞装置
１４０      普通図柄表示装置
１４２      普通図柄作動用球受け口
１４４      普通電動役物
ＰＢ        遊技球
【図１】
0003752602.tif 000002
【図２】
0003752602.tif 000003
【図３】
0003752602.tif 000004
【図４】
0003752602.tif 000005
【図５】
0003752602.tif 000006
【図６】
0003752602.tif 000007
【図７】
0003752602.tif 000008
【図８】
0003752602.tif 000009
【図９】
0003752602.tif 000010
【図１０】
0003752602.tif 000011
【図１１】
0003752602.tif 000012
【図１２】
0003752602.tif 000013
【図１３】
0003752602.tif 000014